(57)【要約】何も書かれていないモジュラー本（図１）に関する特許である。前記モジュールは、タグ（１）により識別され、それぞれは、同じ頁数を備え、同じ家族の各世代の構成員により整理し保管されるように設計され、いずれにせよ、彼らは記載してもよく、各モジュールは、写真や書類を保持するための透明なプラスチックバッグが備えられ、何世紀及び千年期までもの長い寿命の観点において、前記本は、その家族における重要な声のリンクである。そして、本は、本当の「一族」の編成とすることができ、そして、長い寿命のこの特性を有する観点において、それは、高い耐久性ケース（図８）の保護を必要とし、ケースは、加えて、本を囲い、小さな閉じた分室（１３）を多く有しており、前記分室（１３）は、窓（１６）を有しており、加えて、時間の経過に従ってその２つの面上に低いレリーフ刻印を受けるための取り外し自在の金属製板（１１）を備え、家族の「家系図」の一種の構造となり、最終的に、ケースは、審美的にリファインされるので、全体の集合体も家の装飾の目的のために設計される（図８）。
2004529020.tif 000002
【特許請求の範囲】
【請求項１】
長期の間に、同じ家族の承継される世代の構成員により書かれて整理し保管されるための、芸術的なケースに同封されるための何も書かれていないモジュラー本であって、何も書かれていない本（１）は、頁数が付された頁（２）を有し、その脚注は、重要人物の名前又は歴史的な事実（３）のランダムな引用が含まれ、本（１）は大きな寸法を有しており、モジュールに分割され、各モジュールは同じ頁数を有しており、前記モジュールは全ての頁（２）に付されたカラータグにより互いに識別され、前記タグは本（１）が閉じられた時でも認識することができるようにされたものであって、
同じ家族の承継される世代の構成員は、そこに何世紀及び更には千年期の長い間、記載することができ、時間の経過とともにその家族における有形物及び声のリンクを生成することができる系を構成して一族の編成となり、そこにおいて、各々の世代は様々な情報、覚書、伝言等を各モジュールにおいて記録することができ、その結果、次の世代は知らされることができ、最初の記載者は、先の世代のことについて知っていることを報告するための二倍の頁を与えられ、全てのタグは、モジュールの由来する世代についての情報を含み、各モジュールはまた写真や書類を保持するための特別な透明プラスチックバッグが設けられ、そして、その長い寿命の観点において、本（１）は、ハンドル（５）が設けられた囲い（４）により保護が必要とされ、ロック（７）及びホルダー（１０）が設けられた、優れた補強がされたケース（８）の窪み（６）の中に納められ、囲い（４）は、ヒンジ（９）により枢動される同じ高さの２つの部分を有し、全ての集合体は、家系図の編成のための低いレリーフ刻印を受けるために設計された矩形状の区画（１２）が備えられる取り外し自在の金属製板（１１）により補足され、前記板（１１）は、ケースカバー（８）及び大きな室（１８）の内側において収容されて支持体（１７）により支持され、前記ケース（８）は、本（１）よりも大きく、そして、更に、そのベース上に上向きの、そして、カバー（１５）に関しては、下向きの側室（１３）を備え、前記側室（１３）は窓（１６）により閉じられる。
【発明の詳細な説明】
【発明の開示】
【０００１】
本発明の目的は、製造され、商品化を目的とする新しい商品であり、前記商品は何も書かれていない本からなり、その観点から、それは長さ、幅及び厚さのいずれにおいても大きな寸法を伴っている。
【０００２】
前記本は、幾つかのモジュールに分けられ、それぞれが、同じ頁数を有しており、その頁数は第１のモジュールを除いて、上記した理由のために重複している。前記モジュールは端部に設けられた色つきタグにより互いに区別される。これらのタグは、本を開いた時に見ることができ、また、本を閉じた時にも見ることができる。何故なら、それらは、単一の集合体に作製されるからである。前記タグは、いくつかの色を有してもよいが、各々のモジュールの全ての頁は同色のタグを有するであろう。「第１世代」という表現が第１のモジュールのタグに書かれ、「第２世代」という表現が第２モジュールのタグに書かれる等して、最後まで続く。
【０００３】
前記本をモジュールに分割することは重要である。何故なら、各々のモジュールは、次の世代が知らされるように、同じ家族の各々の世代の構成員により、伝言、意見、提案、ガイドライン及び契約、署名、彼／彼女の家族に関連する重要な事実についての報告、生まれた町、生まれた国及び社会までも、整理して保管され、記述され及び／又は目を通されるべきだからである。
【０００４】
明らかに、それは、思うままに使用される、例えば、家族のあるメンバーが、子供であるとき、彼／彼女の両親及び祖父母（前の祖先）のモジュールに、彼／彼女自身の世代のモジュールに及び親及び祖父母として次のモジュールに書いてもよい。第１のモジュールは２倍の量があり、その結果、書き手は、彼／彼女が先の世代について知っていることを報告することができる。
【０００５】
補足として、前記本は、その創作及び目的の簡単な印刷された開示により序文として始められ、頁数が付され、重要な人物の名前や歴史的な事実は、脚注においてランダムに引用されるが、各々のモジュールは、頁のそれと同じサイズを有する透明なプラスチックのバッグを備え、そこに、写真や書類を保持することができる。
【０００６】
更なる補足として、今のところの全体としての目的として、何百年もの長い間、前記本は続くので、その補足は必要である。それは、高い耐性を有し、きれいに仕上げられたほぼ気密のケースに収容して、本棚又は別の場所において保管されることが推奨される。それは、長さ、幅及び高さにおいていずれも前記本よりも大きく、内部に区画が設けられており、前記本がケースの中央に位置される時（ハンドルが設けられた封入物は前記ケースのくぼみに入れられ、また、取り出すことが必要とされる）、そのカバーと同様にして、多くの小さな物を保持するために窓が備えられた小さな閉じた分室が、中央と端部の間に形成される。例証するために、そのような分室は、とりわけ、現在既に存在し、時が経つに従ってより小さくなる、記録された音及びイメージを含む電子装置を保管するために使用される。このように、家族パーティー又は重要な公共イベントでさえ、記録された後は、都合よく、次の世代に渡されることができる。我々は、彼らが死んだ後、そこに「書き手」の結婚指輪を保管することも、また、提案する。
【０００７】
もう一つの重要な補足は、そのケースカバーの内部に収容され、矩形状の区画を有する取り外し可能な金属製板である。前記金属製板は、時が経つに従って、その家族の一種の「家系図」が構成されるように両面において低いレリーフの刻印を受けるように設計され、１つの矩形状は、各世代に対してのものとなる。前記板は、前記本の長さ及び幅と同じであるべきであり、取り出された時、物、書類、紋章等を保管するための大きな室にアクセスすることができるように設けられるべきである。
【０００８】
家族又は世代のこの本の更なる目的は、その芸術的なケースの範囲において、家族の継続的な世代の中で有形物及び声のリンクを確立することができるであろう特別な物を構成することに加えて、この本は、家のための装飾物になるであろう。このようにして、家の中において展示されるための特別の、そして、特権の場所に値する。
【０００９】
それゆえに、これは、現在問われる目的物の発明の概念であり、即ち、その構成員のそれぞれが望むものを、代々の世代に渡すために家族に提供される乗り物である。それゆえ、時が経つに従ってそれから一族に結果が生じる。（例証すると、２つの千年期の具体的表現は約７０の世代である。）。とても長い間続くために設計される物であるので、それに対して、それは、保護としてのケースを必要とする。集合体は、家族の尊敬及び家の装飾のための要素を構成する。
【００１０】
このように、それは、「芸術の文芸作品」（法律第９２７９，第１０条，第４項）の意味において出版された本又は出版される本ではない。何故なら、既に執筆された筋書きを含む本ではなく、時が流れるに従って、代々の世代の構成員により書かれるようにデザインされ、それは、互いにいかなる関連又は連続も有しない覚書が含まれるだけではなく、子孫に情報を伝える目的のための写真や文書を伴う色々な情報だからである。
【００１１】
また、それは、「工業意匠」ではない。即ち、「家族アルバム」の線及び色彩の新しい装飾的な造形的形態（法律第９２７９，第９５条）ではない。「アルバム」の概念のために、それは、幾分か本に関係するが、一般的に写真を受けるために主に設計された厚い頁を有し、そこにおいて、高々、撮影された人々又は場所の日付及び名前が写真の下に表れるだけである。
【００１２】
また、それは、「日記」でも「予定帳」でもない、両方とも個人的な本及び手帳であり、第１のものは、所感のためにデザインされ、一般的にこれらは個人的なものと考えられ、他の人々に予定されたものではない。そして、第２のものは主に約束を覚書するためにデザインされ、他の人々に定められたものではない。
【００１３】
それゆえに、現在の特許出願の目的である上記した集合体は、新規なものを構成し、そこには、それに対して似ていたり、或いは、比較できるものはない。
【００１４】
添付した図面は、本発明の対象となる全体組立体（本、ケース等）の詳細を示すものである。
そこにおいて、図１は本が開いた状態を示す図、図２は本が閉じた状態を示す図、図３は囲いとハンドルが加わった本が閉じた状態を示す図、図４は矩形状の区画を有する金属製プレートを示す図、図５はケースカバーの小さな分室を閉じるための窓及びプレート支持体を備える部品を示す図、図６はケースカバーの小さな分室を閉じるための窓及びプレート支持体を備える部品を示す図、図７はケースの部分的に破断した斜視図、図８は部分的に開かれたケースを伴う組立構造部品を示す図である。
【００１５】
上記した図面における実例によれば、前記本のモジュールは、頁に付されたカラータグにより互いに識別されることができ、前記タグは、本１を開いた時に見ることができ、そして、本１を閉じた時にも見ることができる。頁２は、頁数が付され、脚注には重要な人物や歴史的な事実３のランダムな引用が記載されるであろう。ハンドル５により保持された囲い４は、本がケースのくぼみ６の中に入れることができ、そして、くぼみ６から取り出すことができることが必要とされる。
【００１６】
ケースは、ロック７を有しており、その２つの部分８は同じ高さを有し、ヒンジ９を介して１８０°開き、その持ち上げと移動を容易にするためのホルダー１０が設けられている。
【００１７】
図４は、その矩形状の区画１２を備える金属製板１１を示す。
【００１８】
横側の分室１３は、単一部分として閉じられ、ケースの主部は上方向１４に向けられ、カバーの主部は下方向１５に向けられる。
【００１９】
図７において、部分１５は既にそのカバーにおけるその所定の場所に嵌っている。小さい分室１３にアクセスするために設けられた窓１６は、既に、部分１４及び１５におけるそれらの所定の場所に嵌っている。
【００２０】
図７において、その支持体１７を備える金属製板１１は、既に所定の場所に嵌っているが、図面では裁断されている。その結果、大きな室１８はそのすぐ下側に見ることができる。
【００２１】
明らかに本は、多くの世紀及び更には千年期に亘り異なる多くの世代を含むように異なる数のモジュールにより構成されることができる。
【図面の簡単な説明】
【００２２】
【図１】本が開いた状態を示す図
【図２】本が閉じた状態を示す図
【図３】囲いとハンドルが加わった本が閉じた状態を示す図
【図４】矩形状の区画を有する金属製プレートを示す図
【図５】ケースカバーの小さな分室を閉じるための窓及び板支持体を備える部品を示す図
【図６】ケースカバーの小さな分室を閉じるための窓及び板支持体を備える部品を示す図
【図７】ケースの部分的に破断した斜視図
【図８】部分的に開かれたケースを伴う組立構造部品を示す図
【符号の説明】
【００２３】
１    本
２    頁数
３    重要人物又は歴史的な事実のランダムな引用を含む脚注
４    囲い
５    ハンドル
６    くぼみ
７    ロック
８    補強されたケース
９    ヒンジ
１０    ホルダー
１１    金属製板
１２    区画
１３    横側の分室
１４    上方向
１５    下方向
１６    窓
１７    支持体
１８    大きな室
【図１】
2004529020.tif 000003
【図２】
2004529020.tif 000004
【図３】
2004529020.tif 000005
【図４】
2004529020.tif 000006
【図５】
2004529020.tif 000007
【図６】
2004529020.tif 000008
【図７】
2004529020.tif 000009
【図８】
2004529020.tif 000010
【国際公開パンフレット】
2004529020.tif 000011
2004529020.tif 000012
2004529020.tif 000013
2004529020.tif 000014
2004529020.tif 000015
2004529020.tif 000016
2004529020.tif 000017
2004529020.tif 000018
2004529020.tif 000019
2004529020.tif 000020
2004529020.tif 000021
2004529020.tif 000022
2004529020.tif 000023
2004529020.tif 000024
2004529020.tif 000025
2004529020.tif 000026
2004529020.tif 000027
【国際調査報告】
2004529020.tif 000028
2004529020.tif 000029